(57)【特許請求の範囲】
【請求項１】
複数の携帯電話端末間で通話を行うグループ通話を管理するサーバであって、
前記グループ通話の開始を要求する新規発呼情報を受信する新規発呼情報受信部と、
前記新規発呼情報受信部で受信した前記新規発呼情報に対応する前記グループ通話の着信先として指定された携帯電話端末が当該グループ通話に参加しているか否かを管理する管理部と、
前記グループ通話を実行するアプリケーションを監視し、当該グループ通話を実行する前記アプリケーションが変更された場合に、前記グループ通話の着信先として指定され、かつ、当該グループ通話に参加していない携帯電話端末に対して、前記アプリケーションの変更を通知する通知部とを備えることを特徴とするサーバ。
【請求項２】
複数の携帯電話端末間で通話を行うグループ通話が行われるグループ通話システムに接続可能な携帯電話端末であって、
前記グループ通話を識別するグループ識別情報を含み、当該グループ通話への参加を要求する新規着信情報を受信する受信部と、
前記受信部で受信した前記新規着信情報に対応する前記グループ通話を、当該新規着信情報に含まれる前記グループ識別情報及び当該グループ通話を実行するアプリケーションを識別するアプリケーション識別情報と対応付けて着信履歴として記憶する記憶部と、
前記グループ通話を実行する前記アプリケーションの変更通知を受信すると、前記着信履歴として記憶した前記アプリケーション識別情報を前記変更通知に基づいて更新する着信履歴更新部と、
前記着信履歴として記憶した前記グループ通話への発呼操作を受け付けて、前記発呼操作を受け付けた前記グループ通話に対応付けられた前記グループ識別情報及び前記アプリケーション識別情報を前記記憶部から取得し、取得した前記グループ識別情報を含み、かつ、取得した前記アプリケーション識別情報に対応する前記アプリケーションで当該グループ通話に途中参加することを要求する途中参加発呼情報を送信する送信部とを備えることを特徴とする携帯電話端末。
【発明の詳細な説明】
【技術分野】
【０００１】
本発明は、複数の携帯電話端末間で通話を行うグループ通話が行われるグループ通話システムに接続可能な携帯電話端末及びサーバに関する。
【背景技術】
【０００２】
従来、発信側移動局と発信側移動局によって指定された複数の移動局（以下、指定移動局）とによってグループを形成して、グループ通話が行われる通信システムが知られている。なお、グループ通話としては、音声信号を送信する権限、すなわち、ユーザが発言する権限（発言権）が、グループ通話に参加している一の移動局にのみ割り当てられるＰＴＴ（Ｐｕｓｈ−Ｔｏ−Ｔａｌｋ）などが挙げられる。
【０００３】
具体的には、グループ通話は、パケット交換ＮＷを通じて行われており、ＳＩＰ（Ｓｅｓｓｉｏｎ  Ｉｎｉｔｉａｔｉｏｎ  Ｐｒｏｔｏｃｏｌ）を用いて行われる。また、グループ通話は、グループに含まれる各移動局がパケット交換ＮＷに接続されたＳＩＰサーバにログイン（登録）することによって開始される（例えば、非特許文献１）。
【０００４】
このように、各移動局がＳＩＰサーバにログインしなければ、グループ通話を開始することができないため、発信側移動局がグループ通話を開始しようとする場合には、指定移動局をＳＩＰサーバにログインさせなければならない。
【０００５】
従って、指定移動局をＳＩＰサーバにログインさせるために、パケット交換ＮＷとは異なる回線交換ＮＷを通じて、ＳＩＰサーバへのログインを要求する情報（ＳＭＳ（Ｓｈｏｒｔ  Ｍｅｓｓａｇｅ  Ｓｅｒｖｉｃｅ）情報）が指定移動局に送信される。
【０００６】
具体的には、ＳＩＰサーバは、グループ通話の開始を要求する情報（ＩＮＶＩＴＥ）を発信側移動局から受信すると、ＳＩＰサーバへのログインを要求するＳＭＳ情報の送信要求を回線交換ＮＷに接続されたＳＭＳサーバに送信する。続いて、ＳＭＳサーバは、ＳＩＰサーバへのログインを要求するＳＭＳ情報を各指定移動局に送信する。
【０００７】
一方、グループ通話に参加していない移動局（以下、不参加移動局）をグループ通話に途中参加するように誘うことが可能なグループ通話も知られている。なお、不参加移動局とは、発信側移動局によって指定されたが、発信側移動局からの呼び出しに応答しなかった指定移動局、発信側移動局によって指定されなかった移動局などである。
【０００８】
具体的には、このようなグループ通話では、発信側移動局が、不参加移動局をグループ通話に途中参加するように誘うための情報をＳＩＰサーバに送信して、ＳＩＰサーバが、ＳＩＰサーバへのログインを要求するＳＭＳ情報の送信要求をＳＭＳサーバに送信する。続いて、ＳＭＳサーバが、ＳＩＰサーバへのログインを要求するＳＭＳ情報を不参加移動局に送信する。
【非特許文献１】“ＳＩＰ：Ｓｅｓｓｉｏｎ  Ｉｎｉｔｉａｔｉｏｎ  Ｐｒｏｔｏｃｏｌ”、ＲＦＣ３２６１
【発明の開示】
【発明が解決しようとする課題】
【０００９】
しかしながら、上述したグループ通話において、発信側移動局から誘われることなく、不参加移動局が所望のグループ通話に自ら途中参加することが難しかった。
【００１０】
特に、発信側移動局からの呼び出しにユーザが気づかなかった場合に、所望のグループ通話に途中参加することが難しいと、ユーザの利便性が著しく低下してしまう。
【００１１】
そこで、本発明は、上述した課題を解決するためになされたものであり、グループ通話を行っているグループに含まれる移動局（携帯電話端末）から誘われることなく、所望のグループ通話に容易に途中参加することを可能とする携帯電話端末及びサーバを提供することを目的とする。
【００１２】
特に、本発明は、グループ通話中にグループ通話を実行するアプリケーションが変更された場合にも、適切なアプリケーションでグループ通話に途中参加することを可能とする携帯電話端末及びサーバを提供することを目的とする。
【課題を解決するための手段】
【００１３】
本発明の一の特徴は、複数の携帯電話端末間で通話を行うグループ通話を管理するサーバが、前記グループ通話の開始を要求する新規発呼情報を受信する新規発呼情報受信部（ＳＩＰ情報受信部２０１）と、前記新規発呼情報受信部で受信した前記新規発呼情報に対応する前記グループ通話の着信先として指定された携帯電話端末が当該グループ通話に参加しているか否かを管理する管理部（グループ通話処理部２０２、グループ通話管理ＤＢ２０３）と、前記グループ通話を実行するアプリケーションを監視し、当該グループ通話を実行する前記アプリケーションが変更された場合に、前記グループ通話の着信先として指定され、かつ、当該グループ通話に参加していない携帯電話端末に対して、前記アプリケーションの変更を通知する通知部（ＳＭＳ送信要求部２０４、ＳＭＳ情報送受信部１０３）とを備えることを要旨とする。
【００１４】
かかる特徴によれば、サーバが、グループ通話の着信先として指定され、かつ、当該グループ通話に参加していない携帯電話端末に対して、アプリケーションの変更を通知することにより、携帯電話端末は、グループ通話への途中参加を要求する際に、適切なアプリケーションで途中参加を要求することができる。
【００１５】
本発明の一の特徴は、複数の携帯電話端末間で通話を行うグループ通話が行われるグループ通話システムに接続可能な携帯電話端末が、前記グループ通話を識別するグループ識別情報を含み、当該グループ通話への参加を要求する新規着信情報を受信する受信部（ＳＭＳ情報取得部２１）と、前記受信部で受信した前記新規着信情報に対応する前記グループ通話を、当該新規着信情報に含まれる前記グループ識別情報及び当該グループ通話を実行するアプリケーションを識別するアプリケーション識別情報と対応付けて着信履歴として記憶する記憶部（メモリ１９）と、前記グループ通話を実行する前記アプリケーションの変更通知を受信すると、前記着信履歴として記憶した前記アプリケーション識別情報を前記変更通知に基づいて更新する着信履歴更新部（着信履歴格納部２３）と、前記着信履歴として記憶した前記グループ通話への発呼操作を受け付けて、前記発呼操作を受け付けた前記グループ通話に対応付けられた前記グループ識別情報及び前記アプリケーション識別情報を前記記憶部から取得し、取得した前記グループ識別情報を含み、かつ、取得した前記アプリケーション識別情報に対応する前記アプリケーションで当該グループ通話に途中参加することを要求する途中参加発呼情報を送信する送信部（途中参加処理部２５ｂ、ＳＩＰ情報入力部２６）とを備えることを要旨とする。
【００１６】
かかる特徴によれば、携帯電話端末が、グループ通話を識別するグループ識別情報を含む途中参加発呼情報をサーバに送信する。
【００１７】
従って、携帯電話端末は、グループ識別情報によって所望のグループ通話を特定することができ、所望のグループ通話に参加する携帯電話端末から誘われることなく、自ら所望のグループ通話に容易に途中参加することができる。
【００１８】
特に、発信側移動局からの呼び出しにユーザが気づかなかった場合であっても、所望のグループ通話に容易に途中参加できるため、ユーザの利便性が向上する。
【００１９】
また、携帯電話端末が、着信履歴として記憶されたアプリケーション識別情報に対応するアプリケーションでグループ通話に途中参加することを要求することにより、アプリケーションの違いによって途中参加が妨げられることなく、容易にグループ通話に途中参加することができる。
【発明の効果】
【００２０】
本発明によれば、グループ通話を行っているグループに含まれる携帯電話端末から誘われることなく、所望のグループ通話に容易に途中参加することを可能とする携帯電話端末及びサーバを提供することを提供することができる。
【００２１】
また、本発明によれば、グループ通話を実行するアプリケーションが変更された場合にも、適切なアプリケーションでグループ通話に途中参加することを可能とする携帯電話端末及びサーバを提供することを提供することができる。
【発明を実施するための最良の形態】
【００２２】
［第１実施形態］
（通信システムの構成）
以下において、本発明の第１実施形態に係る通信システムについて、図面を参照しながら説明する。図１は、本発明の第１実施形態に係る通信システムの構成を示す図である。
【００２３】
図１に示すように、通信システムは、基地局３０を含む回線交換ＮＷ３００と、基地局４０を含むパケット交換ＮＷ４００と、回線交換ＮＷ３００に接続されたＳＭＳサーバ１００と、パケット交換ＮＷ４００に接続されたＳＩＰサーバ２００とを有する。なお、ＳＭＳサーバ１００及びＳＩＰサーバ２００は接続されている。
【００２４】
なお、第１実施形態では、基地局３０及び基地局４０が別々の基地局であるものとして説明するが、これに限定されるものではない。具体的には、回線交換ＮＷ３００及びパケット交換ＮＷ４００の両方に含まれる一の基地局が基地局３０及び基地局４０が有する機能を併せ持っていてもよい。
【００２５】
複数の移動局１０（移動局１０ａ〜移動局１０ｄ）は、通信システムに接続可能な携帯電話端末である。具体的には、各移動局１０は、回線交換ＮＷ３００に含まれる基地局３０及びパケット交換ＮＷ４００に含まれる基地局４０と接続可能である。
【００２６】
回線交換ＮＷ３００は、回線交換によって通信が行われるネットワーク（例えば、ｃｄｍａ２０００で用いられる１ｘ網）であり、移動局１０が通信を行う際に移動局１０のアドレス登録が必要とされないネットワークである。一方、パケット交換ＮＷ４００は、パケット交換によって通信が行われるネットワーク（例えば、ｃｄｍａ２０００で用いられるＥＶ−ＤＯ（Ｅｖｏｌｕｔｉｏｎ  Ｄａｔａ  Ｏｐｔｉｍｉｚｅｄ）網）であり、移動局１０が通信を行う際に移動局１０のアドレス登録が必要とされるネットワークである。
【００２７】
また、パケット交換ＮＷ４００では、一の移動局１０（発信側移動局）と、一の移動局１０によって指定された他の移動局１０（指定移動局）のうち、発信側移動局からの呼び出しに応答した移動局１０とを含むグループを初期グループとしてグループ通話が行われる。
【００２８】
なお、第１実施形態では、発信側移動局が移動局１０ａであり、指定移動局が移動局１０ｂ〜移動局１０ｄであるものとして説明する。
【００２９】
また、第１実施形態に係るグループ通話では、グループ通話に参加している移動局１０は、指定移動局に含まれていない移動局１０をグループ通話に参加するように誘うこともできる。
【００３０】
ここで、グループ通話とは、音声信号のみを送受信するＰＴＴ（Ｐｕｓｈ−Ｔｏ−Ｔａｌｋ）や音声信号及び映像信号を送受信するＩＰ−ＴＶを含む。
【００３１】
（移動局の構成）
以下において、本発明の第１実施形態に係る移動局の構成について、図面を参照しながら説明する。図２は、本発明の第１実施形態に係る移動局１０の構成を示すブロック図である。なお、移動局１０ａ〜移動局１０ｄは同様の構成を有しているため、以下においては、これらを移動局１０と総称して説明する。
【００３２】
図２に示すように、移動局１０は、アンテナ１１と、ＲＦ／ＩＦ変換器１２と、パワーアンプ１３と、音声入出力部１４と、映像入出力部１５と、コーデック回路１６と、ベースバンドプロセッサ１７と、操作部１８と、メモリ１９と、ＣＰＵ２０とを有する。
【００３３】
アンテナ１１は、回線交換ＮＷ３００に含まれる基地局３０によって送信される信号（受信信号）及びパケット交換ＮＷ４００に含まれる基地局４０によって送信される信号（受信信号）を受信する。また、アンテナ１１は、回線交換ＮＷ３００に含まれる基地局３０及びパケット交換ＮＷ４００に含まれる基地局４０に対して信号（送信信号）を送信する。
【００３４】
ＲＦ／ＩＦ変換器１２は、アンテナ１１によって受信された受信信号の周波数（無線周波数（Ｒａｄｉｏ  Ｆｒｅｑｕｅｎｃｙ））をベースバンドプロセッサ１７で扱われる周波数（中間周波数（Ｉｎｔｅｒｍｅｄｉａｔｅ  Ｒｆｅｑｕｅｎｃｙ））に変換する。また、ＲＦ／ＩＦ変換器１２は、ベースバンドプロセッサ１７から取得した送信信号の周波数（中間周波数（ＩＦ））を無線通信で用いられる周波数（無線周波数（ＲＦ））に変換する。なお、ＲＦ／ＩＦ変換器１２は、無線周波数（ＲＦ）に変換された送信信号をパワーアンプ１３に入力する。
【００３５】
パワーアンプ１３は、ＲＦ／ＩＦ変換器１２から取得した送信信号を増幅して、増幅された送信信号をアンテナ１１に入力する。
【００３６】
音声入出力部１４は、音声を集音するマイク１４ａと、音声を出力するスピーカ１４ｂとを有する。マイク１４ａは、集音された音声に基づいて音声信号をコーデック回路１６に入力し、スピーカ１４ｂは、コーデック回路１６から取得した音声信号に基づいて音声を出力する。
【００３７】
映像入出力部１５は、被写体を撮像するカメラ１５ａと、文字や映像などを表示する表示部１５ｂとを有する。カメラ１５ａは、撮像された映像（静止画像や動画像）に基づいて映像信号をコーデック回路１６に入力し、表示部１５ｂは、コーデック回路１６から取得した映像信号に基づいて映像を表示する。なお、表示部１５ｂは、操作部１８を用いて入力される文字なども表示する。
【００３８】
コーデック回路１６は、所定の符号化方式（例えば、ＩＴＵ−Ｔで規定されたＧ．７２９）に従って音声信号の符号化及び復号を行う音声コーデック回路１６ａと、所定の符号化方式（例えば、ＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）−４など）に従って映像信号の符号化及び復号を行う映像コーデック回路１６ｂとを有する。
【００３９】
音声コーデック回路１６ａは、音声入出力部１４から取得した音声信号を符号化し、ベースバンドプロセッサ１７から取得した音声信号を復号する。映像コーデック回路１６ｂは、映像入出力部１５から取得した映像信号を符号化し、ベースバンドプロセッサ１７から取得した映像信号を復号する。
【００４０】
ベースバンドプロセッサ１７は、所定の変調方式（ＢＰＳＫ（Ｂｉｎａｒｙ  Ｐｈａｓｅ  Ｓｈｉｆｔ  Ｋｅｙｉｎｇ）やＱＰＳＫ（Ｑｕａｄｒａｔｕｒｅ  Ｐｈａｓｅ  Ｓｈｉｆｔ  Ｋｅｙｉｎｇ））などに従って送信信号の変調や受信信号の復調を行う。具体的には、ベースバンドプロセッサ１７は、コーデック回路１６から取得した音声信号や映像信号などのベースバンド信号を変調して、変調されたベースバンド信号（送信信号）をＲＦ／ＩＦ変換器１２に入力する。また、ベースバンドプロセッサ１７は、ＲＦ／ＩＦ変換器１２から取得した受信信号を復調して、復調された受信信号（ベースバンド信号）をコーデック回路１６に入力する。
【００４１】
ベースバンドプロセッサ１７は、ＣＰＵ２０によって生成された情報（ＳＭＳ情報やＳＩＰ情報）を変調して、変調された情報（送信信号）をＲＦ／ＩＦ変換器１２に入力する。また、ベースバンドプロセッサ１７は、ＲＦ／ＩＦ変換器１２から取得した受信信号を復調して、復調された受信信号（ＳＭＳ情報やＳＩＰ情報）をＣＰＵ２０に入力する。
【００４２】
なお、ＳＭＳ情報とは、回線交換ＮＷ３００を通じて送受信される情報であり、ＳＩＰ情報とは、パケット交換ＮＷ４００を通じて送受信される情報である。
【００４３】
操作部１８は、文字や数字などを入力する入力キー、グループ通話を開始するための発呼キー、着信（呼び出し）に応答するための応答キーなどによって構成されたキー群である。また、操作部１８は、各キーが押下されると、押下されたキーに対応する入力信号をＣＰＵ２０に入力する。
【００４４】
メモリ１９は、移動局１０の動作を制御するためのプログラム、着信履歴やアドレス帳のような各種データなどを記憶する。なお、メモリ１９は、例えば、不揮発性の半導体メモリであるフラッシュメモリや揮発性の半導体メモリであるＳＲＡＭ（Ｓｔａｔｉｃ  Ｒａｎｄｏｍ  Ａｃｃｅｓｓ  Ｍｅｍｏｒｙ）などによって構成される。
【００４５】
具体的には、メモリ１９は、図４に示す情報を着信履歴として記憶する。図４は、本発明の第１実施形態に係るメモリ１９に記憶された着信履歴の一例を示す図である。
【００４６】
図４に示すように、着信履歴では、発信側移動局と、初期指定移動局リストと、グループＩＤと、禁止フラグとが対応付けられている。
【００４７】
発信側移動局は、グループ通話の開始を要求した移動局１０である。
【００４８】
初期指定移動局リストは、発信側移動局と発信側移動局によって指定された指定移動局とによって構成されている。なお、図４では、初期指定移動局リスト欄の情報は、各移動局１０の名称であるが、各移動局１０をそれぞれ識別する移動局識別情報（例えば、電話番号）であってもよいことは勿論である。
【００４９】
グループＩＤは、初期グループによって開始されるグループ通話を識別する識別子である。また、後に詳述するように、グループ通話に参加する移動局１０が変更されても、グループＩＤは変更されない。
【００５０】
禁止フラグは、グループＩＤが有効であるか否かを示すフラグである。具体的には、グループＩＤが有効である場合には、“ｖａｌｉｄ（０）”が禁止フラグにセットされる。一方、グループＩＤが無効である場合には、“ｉｎｖａｌｉｄ（１）”が禁止フラグにセットされる。
【００５１】
また、グループＩＤが有効である場合には、そのグループＩＤを用いてグループ通話への途中参加を要求することが可能であるが、グループＩＤが無効である場合には、そのグループＩＤを用いてグループ通話への途中参加を要求することが禁止される。
【００５２】
ＣＰＵ２０は、メモリ１９に記憶されたプログラムに従って、移動局１０（映像入出力部１５、コーデック回路１６、ベースバンドプロセッサ１７など）の動作を制御する。
【００５３】
以下において、本発明の第１実施形態に係るＣＰＵの構成について、図面を参照しながら説明する。図３は、本発明の第１実施形態に係るＣＰＵ２０の構成を示すブロック図である。
【００５４】
図３に示すように、ＣＰＵ２０は、ＳＭＳ情報取得部２１と、ＳＩＰ情報取得部２２と、着信履歴格納部２３と、グループ通話処理部２４と、メッセージ生成部２５と、ＳＩＰ情報入力部２６とを有する。
【００５５】
ＳＭＳ情報取得部２１は、回線交換ＮＷ３００を通じてＳＭＳサーバ１００から受信したＳＭＳ情報をベースバンドプロセッサ１７から取得して、取得されたＳＭＳ情報をグループ通話処理部２４に入力する。
【００５６】
ここで、ＳＭＳ情報は、例えば、パケット交換ＮＷ４００に接続されたＳＩＰサーバ２００へのアドレス登録を要求するアドレス登録要求（ＳＭＳ（登録要求））である。
【００５７】
具体的には、アドレス登録要求（ＳＭＳ（登録要求））は、初期指定移動局リストに含まれる移動局１０（第１実施形態では、移動局１０ａ〜移動局１０ｄ）をそれぞれ識別する移動局識別情報を含む。また、アドレス登録要求（ＳＭＳ（登録要求））は、初期グループによって開始されるグループ通話を識別するグループＩＤを含む。なお、グループＩＤは、後述するように、ＳＩＰサーバ２００によって生成される。
【００５８】
なお、ＳＭＳ情報は、後述する第３実施形態に示すように、グループ通話で用いられるアプリケーションが変更されたことを示すＳＭＳ（アプリケーション変更通知）であってもよい。また、ＳＭＳ情報は、後述する第４実施形態に示すように、グループ通話への途中参加を禁止することを示すＳＭＳ（参加禁止通知）であってもよい。
【００５９】
ＳＩＰ情報取得部２２は、パケット交換ＮＷ４００を通じてＳＩＰサーバ２００から受信したＳＩＰ情報をベースバンドプロセッサ１７から取得して、取得されたＳＩＰ情報をグループ通話処理部２４に入力する。
【００６０】
ここで、ＳＩＰ情報は、グループ通話への参加を他の移動局１０に要求するＩＮＶＩＴＥ（新規）、グループ通話に途中参加することを要求するＩＮＶＩＴＥ（途中参加）、新たなグループ通話に参加した移動局１０を示すＩＮＦＯ（参加者通知）、グループ通話に参加する移動局１０が更新されたことを示すＩＮＦＯ（参加者更新通知）などである。また、ＳＩＰ情報は、ＳＩＰ（Ｓｅｓｓｉｏｎ  Ｉｎｉｔｉａｔｉｏｎ  Ｐｒｏｔｏｃｏｌ）で用いられる各種メッセージ（１００Ｔｒｙｉｎｇ、１８０Ｒｉｎｇｉｎｇ、２００ＯＫ、ＡＣＫ、ＢＹＥなど）である。
【００６１】
なお、ＳＩＰ情報は、後述する第３実施形態に示すように、グループ通話で用いられるアプリケーションの変更を要求するＩＮＦＯ（アプリケーション変更要求）であってもよい。また、ＳＩＰ情報は、後述する第４実施形態に示すように、グループ通話への途中参加が禁止された移動局１０を示すＩＮＦＯ（参加禁止通知）であってもよい。
【００６２】
着信履歴格納部２３は、ＳＭＳ情報取得部２１から取得したアドレス登録要求（ＳＭＳ（登録要求））などに応じて着信履歴をメモリ１９に格納する。具体的には、着信履歴格納部２３は、アドレス登録要求（ＳＭＳ（登録要求））に含まれる移動局識別情報を着信履歴としてメモリ１９に格納する。また、着信履歴格納部２３は、アドレス登録要求（ＳＭＳ（登録要求））に含まれるグループＩＤを着信履歴としてメモリ１９に格納する。
【００６３】
さらに、着信履歴格納部２３は、グループＩＤが有効であるか否かを示す禁止フラグを着信履歴としてメモリ１９に格納する。具体的には、着信履歴格納部２３は、禁止フラグの初期値として、グループＩＤが有効であることを示す“０（ｖａｌｉｄ）”を格納する。一方、着信履歴格納部２３は、グループＩＤを用いてグループ通話に途中参加しようとしたが、該当するグループ通話が存在しなかった場合に、グループＩＤが無効であることを示す“１（ｉｎｖａｌｉｄ）”に禁止フラグを更新する。
【００６４】
グループ通話処理部２４は、ＳＩＰ（Ｓｅｓｓｉｏｎ  Ｉｎｉｔｉａｔｉｏｎ  Ｐｒｏｔｏｃｏｌ）に従って、グループ通話に関する処理を行う。例えば、グループ通話処理部２４は、操作部１８から取得した入力信号に応じて、新たなグループ通話を開始する処理、他の移動局１０からの呼び出しに応答する処理、グループ通話に途中参加する処理、グループ通話を終了する処理などを行う。
【００６５】
また、グループ通話処理部２４は、ＳＭＳ情報取得部２１から取得したアドレス登録要求（ＳＭＳ（登録要求））に応じて、ＳＩＰサーバ２００にアドレスを登録する処理（登録処理）を行う。
【００６６】
さらに、グループ通話処理部２４は、ＳＩＰ情報取得部２２から取得したＳＩＰ情報に応じてＳＩＰ情報を生成して、生成したＳＩＰ情報をＳＩＰ情報入力部２６に入力する。また、グループ通話処理部２４は、新たなグループ通話を開始する場合又はグループ通話に途中参加する場合には、ＳＩＰ情報の生成を要求する生成要求をメッセージ生成部２５に入力する。
【００６７】
メッセージ生成部２５は、新規処理部２５ａと、途中参加処理部２５ｂとを有しており、新規処理部２５ａ及び途中参加処理部２５ｂによって生成されたＳＩＰ情報をＳＩＰ情報入力部２６に入力する。
【００６８】
新規処理部２５ａは、新たなグループ通話を開始する場合にグループ通話処理部２４から取得した生成要求に応じて、グループ通話への参加を他の移動局１０に要求するＳＩＰ情報、すなわち、ＩＮＶＩＴＥ（新規）を生成する。具体的には、新規処理部２５ａは、メモリ１９に記憶されたアドレス帳の中から指定された移動局１０をそれぞれ識別する移動局識別情報をメモリ１９から読み出して、読み出された移動局識別情報を含むＩＮＶＩＴＥ（新規）を生成する。なお、移動局識別情報は、操作部１８によって入力されてもよいことは勿論である。
【００６９】
一方、途中参加処理部２５ｂは、グループ通話に途中参加する場合にグループ通話処理部２４から取得した生成要求に応じて、グループ通話に途中参加することを要求するＳＩＰ情報、すなわち、ＩＮＶＩＴＥ（途中参加）を生成する。具体的には、途中参加処理部２５ｂは、メモリ１９に記憶された着信履歴の中からユーザによって指定されたグループＩＤを含むＩＮＶＩＴＥ（途中参加）を生成する。
【００７０】
ＳＩＰ情報入力部２６は、グループ通話処理部２４及びメッセージ生成部２５から取得したＳＩＰ情報をベースバンドプロセッサ１７に入力する。
【００７１】
（ＳＩＰサーバの構成）
以下において、本発明の第１実施形態に係るＳＩＰサーバの構成について、図面を参照しながら説明する。図５は、本発明の第１実施形態に係るＳＩＰサーバ２００の構成を示すブロック図である。
【００７２】
図５に示すように、ＳＩＰサーバ２００は、ＳＩＰ情報受信部２０１と、グループ通話処理部２０２と、グループ通話管理ＤＢ２０３と、ＳＭＳ送信要求部２０４と、判定部２０５と、ＳＩＰ情報送信部２０６とを有する。
【００７３】
ＳＩＰ情報受信部２０１は、パケット交換ＮＷ４００を通じて移動局１０からＳＩＰ情報を受信する。
【００７４】
グループ通話処理部２０２は、ＳＩＰ（Ｓｅｓｓｉｏｎ  Ｉｎｉｔｉａｔｉｏｎ  Ｐｒｏｔｏｃｏｌ）に従って、グループ通話に関する処理を行う。
【００７５】
例えば、グループ通話処理部２０２は、ＩＮＶＩＴＥ（新規）がＳＩＰ情報受信部２０１によって受信されると、初期指定移動局リストに含まれる移動局１０をそれぞれ識別する移動局識別情報をグループ通話管理ＤＢ２０３に格納する。続いて、グループ通話処理部２０２は、初期グループによって開始されるグループ通話を識別するグループＩＤを生成して、生成したグループＩＤをグループ通話管理ＤＢ２０３に格納する。
【００７６】
また、グループ通話処理部２０２は、ＩＮＶＩＴＥ（新規）がＳＩＰ情報受信部２０１によって受信されると、ＳＩＰサーバ２００へのアドレス登録を要求するＳＭＳ情報の送信を要求するＳＭＳ送信要求を生成して、生成したＳＭＳ送信要求をＳＭＳ送信要求部２０４に入力する。なお、ＳＭＳ送信要求は、初期指定移動局リストに含まれる移動局１０をそれぞれ識別する移動局識別情報に加えて、初期グループによって開始されるグループ通話を識別するグループＩＤを含む。
【００７７】
さらに、グループ通話処理部２０２は、グループ通話に移動局１０が参加したことを示すＳＩＰ情報（２００ＯＫ）がＳＩＰ情報受信部２０１によって受信されると、グループ通話管理ＤＢ２０３に記憶された情報を更新する。続いて、グループ通話処理部２０２は、グループ通話に参加した移動局１０を示すＳＩＰ情報（ＩＮＦＯ（参加者通知））を生成して、生成したＳＩＰ情報をＳＩＰ情報送信部２０６に入力する。
【００７８】
また、グループ通話処理部２０２は、グループ通話に移動局１０が途中参加したことを示すＳＩＰ情報（２００ＯＫ）がＳＩＰ情報受信部２０１によって受信されると、グループ通話管理ＤＢ２０３に記憶された情報を更新する。続いて、グループ通話処理部２０２は、グループ通話に参加する移動局１０が更新されたことを示すＳＩＰ情報（ＩＮＦＯ（参加者更新通知））を生成して、生成したＳＩＰ情報をＳＩＰ情報送信部２０６に入力する。
【００７９】
さらに、グループ通話処理部２０２は、グループ通話から移動局１０が外れたことを示すＳＩＰ情報（ＢＹＥ）がＳＩＰ情報受信部２０１によって受信されると、グループ通話管理ＤＢ２０３に記憶された情報を更新する。続いて、グループ通話処理部２０２は、グループ通話に参加する移動局１０が更新されたことを示すＳＩＰ情報（ＩＮＦＯ（参加者更新通知）を生成して、生成したＳＩＰ情報をＳＩＰ情報送信部２０６に入力する。
【００８０】
また、グループ通話処理部２０２は、グループ通話に途中参加することを要求するＳＩＰ情報、すなわち、ＩＮＶＩＴＥ（途中参加）がＳＩＰ情報受信部２０１によって受信されると、ＩＮＶＩＴＥ（途中参加）に含まれるグループＩＤを判定部２０５に入力する。
【００８１】
グループ通話管理ＤＢ２０３は、グループ通話を行う移動局１０を管理するための管理情報として、図６に示す情報を記憶する。図６（ａ）及び図６（ｂ）は、本発明の第１実施形態に係るグループ通話管理ＤＢ２０３に記憶された管理情報を示す図である。
【００８２】
図６（ａ）及び図６（ｂ）に示すように、管理情報では、グループＩＤと、発信側移動局と、初期指定移動局リストと、現参加メンバーと、通話状態とが対応付けられている。
【００８３】
グループＩＤは、上述したように、初期グループによって開始されるグループ通話を識別する識別子である。
【００８４】
発信側移動局は、上述したように、グループ通話の開始を要求した移動局１０である。
【００８５】
初期指定移動局リストは、上述したように、発信側移動局と発信側移動局によって指定された指定移動局とによって構成されている。
【００８６】
現参加メンバーは、グループ通話に参加している移動局１０である。なお、第１実施形態では、上述したように、グループ通話に参加している移動局１０が初期指定移動局リストに含まれない他の移動局１０をグループ通話に参加するように誘うことが可能である。従って、現参加メンバーには、初期指定移動局リストに含まれない他の移動局１０が含まれる場合がある。
【００８７】
具体的には、図６（ａ）に示すように、グループＩＤがＮｏ．００１であるグループ通話の現参加メンバーは、移動局１０ａ〜移動局１０ｃである。一方、図６（ｂ）に示すように、グループ通話に参加する移動局１０が入れ替わることによって、グループＩＤがＮｏ．００１であるグループ通話の現参加メンバーが、移動局１０ａ、移動局１０ｅ及び移動局１０ｆとなる場合がある。
【００８８】
また、図６（ｂ）に示すように、グループＩＤがＮｏ．００１であるグループ通話の初期指定移動局リストは、グループＩＤがＮｏ．００３であるグループ通話の初期指定移動局リストと同一である。しかしながら、グループ通話（Ｎｏ．００１）に参加する移動局１０が初期指定移動局リストから入れ替わったり、現参加メンバーがグループ通話を行っている途中で、初期指定移動局リストがＮｏ．００１と同一の新たなグループ通話（Ｎｏ．００３）が開始した場合には、初期指定移動局リストが同一である複数のグループ通話が同時に継続する場合がある。
【００８９】
本発明の第１実施形態では、初期指定移動局リストが同一である複数のグループ通話が同時に継続する場合であっても、グループＩＤによって各グループ通話が一意に成立し、管理される。
【００９０】
ＳＭＳ送信要求部２０４は、グループ通話処理部２０２から取得したＳＭＳ送信要求をＳＭＳサーバ１００に送信する。
【００９１】
判定部２０５は、グループ通話に途中参加することを要求するＳＩＰ情報、すなわち、ＩＮＶＩＴＥ（途中参加）を送信した移動局１０の途中参加が可能か否かを判定する。
【００９２】
具体的には、判定部２０５は、グループ通話処理部２０２から取得したグループＩＤによって特定されるグループ通話が継続しているか否かを判定する。なお、判定部２０５は、グループＩＤによって特定されるグループ通話が継続している場合には移動局１０の途中参加が可能であると判定し、グループＩＤによって特定されるグループ通話が終了している場合には移動局１０の途中参加が不可能であると判定する。
【００９３】
ＳＩＰ情報送信部２０６は、グループ通話処理部２０２から取得したＳＩＰ情報（ＩＮＶＩＴＥ（新規）、ＩＮＶＩＴＥ（途中参加）、１００Ｔｒｙｉｎｇ、１８０Ｒｉｎｇｉｎｇ、２００ＯＫ、ＢＹＥ、ＡＣＫ、ＩＮＦＯなど）を、パケット交換ＮＷ４００を通じて移動局１０に送信する。
【００９４】
（ＳＭＳサーバの構成）
以下において、本発明の第１実施形態に係るＳＭＳサーバの構成について、図面を参照しながら説明する。図７は、本発明の第１実施形態に係るＳＭＳサーバ１００の構成を示すブロック図である。
【００９５】
図７に示すように、ＳＭＳサーバ１００は、ＳＭＳ送信要求受信部１０１と、ＳＭＳ情報生成部１０２と、ＳＭＳ情報送受信部１０３とを有する。
【００９６】
ＳＭＳ送信要求受信部１０１は、ＳＩＰサーバ２００へのアドレス登録を要求するＳＭＳ情報の送信を要求するＳＭＳ送信要求をＳＩＰサーバ２００から受信する。なお、ＳＭＳ送信要求は、上述したように、初期指定移動局リストに含まれる移動局１０をそれぞれ識別する移動局識別情報に加えて、初期グループによって開始されるグループ通話を識別するグループＩＤを含む。
【００９７】
ＳＭＳ情報生成部１０２は、ＳＭＳ送信要求受信部１０１によって受信されるＳＭＳ送信要求に応じて、各移動局１０に送信するＳＭＳ情報を生成する。具体的には、ＳＭＳ情報生成部１０２は、ＳＩＰサーバ２００へのアドレス登録を要求するアドレス登録要求（ＳＭＳ（登録要求））を生成する。ここで、アドレス登録要求（ＳＭＳ（登録要求））は、初期指定移動局リストに含まれる移動局１０をそれぞれ識別する移動局識別情報に加えて、初期グループによって開始されるグループ通話を識別するグループＩＤを含む。
【００９８】
なお、ＳＭＳ情報生成部１０２は、後述する第３実施形態に示すように、グループ通話で用いられるアプリケーションが変更されたことを示すＳＭＳ情報（ＳＭＳ（アプリケーション変更通知））を生成してもよい。また、ＳＭＳ情報生成部１０２は、後述する第４実施形態に示すように、グループ通話への途中参加が禁止されたことを示すＳＭＳ情報（ＳＭＳ（参加禁止通知））を生成してもよい。
【００９９】
ＳＭＳ情報送受信部１０３は、ＳＭＳ情報生成部１０２によって生成されたＳＭＳ情報を回線交換ＮＷ３００を通じて移動局１０に送信する。具体的には、ＳＭＳ情報送受信部１０３は、ＳＭＳ情報生成部１０２によって生成されたアドレス登録要求（ＳＭＳ（登録要求））を、初期指定移動局リストに含まれる指定移動局に回線交換ＮＷ３００を通じて送信する。
【０１００】
（通信システムの動作）
以下において、本発明の第１実施形態に係る通信システムの動作について、図面を参照しながら説明する。図８〜図１３は、本発明の第１実施形態に係る通信システムの動作を示すシーケンス図である。
【０１０１】
最初に、発信側移動局と、発信側移動局によって指定された指定移動局のうち、発信側移動局からの呼び出しに応答した移動局１０とを含むグループを初期グループとしてグループ通話が開始するまでの動作について、図８及び図９を参照しながら説明する。
【０１０２】
なお、第１実施形態では、上述したように、移動局１０ａが発信側移動局であり、移動局１０ｂ〜移動局１０ｄが移動局１０ａによって指定された指定移動局である。
【０１０３】
図８に示すように、ステップ１０において、移動局１０ａは、パケット交換ＮＷ４００に接続されたＳＩＰサーバ２００にログインする。具体的には、移動局１０ａは、移動局１０ａのアドレスをＳＩＰサーバ２００に登録する処理（アドレス登録）を行う。
【０１０４】
ステップ１１において、移動局１０ａは、新たなグループ通話を開始するために、ＩＮＶＩＴＥ（新規）をＳＩＰサーバ２００に送信する。ここで、ＩＮＶＩＴＥ（新規）は、新たなグループ通話の開始を要求するＳＩＰ情報であり、移動局１０ａを識別する移動局識別情報（例えば、電話番号）に加えて、移動局１０ｂ〜移動局１０ｄをそれぞれ識別する移動局識別情報を含む。
【０１０５】
ステップ１２において、ＳＩＰサーバ２００は、ＩＮＶＩＴＥ（新規）に応じて移動局１０ｂ〜移動局１０ｄの呼び出し処理を開始したことを示す暫定応答（１００Ｔｒｙｉｎｇ）を移動局１０ａに送信する。
【０１０６】
ステップ１３において、ＳＩＰサーバ２００は、移動局１０ａ〜移動局１０ｄが移動局として指定されるグループ通話を識別するグループＩＤを生成する。
【０１０７】
ステップ１４において、ＳＩＰサーバ２００は、ＳＩＰサーバ２００へのアドレス登録を要求するアドレス登録要求（ＳＭＳ（登録要求））の送信を要求するＳＭＳ送信要求をＳＭＳサーバ１００に送信する。ここで、ＳＭＳ送信要求は、移動局１０ａ〜移動局１０ｄをそれそれ識別する移動局識別情報に加えて、ステップ１３で生成されたグループＩＤを含む。
【０１０８】
ステップ１５ｂ〜ステップ１５ｄにおいて、ＳＭＳサーバ１００は、ＳＩＰサーバ２００へのアドレス登録を要求するアドレス登録要求（ＳＭＳ（登録要求））を回線交換ＮＷ３００を通じて移動局１０ｂ〜移動局１０ｄに送信する。ここで、ＳＭＳ（登録要求）は、移動局１０ａ〜移動局１０ｄをそれそれ識別する移動局識別情報及びステップ１３で生成されたグループＩＤを含む。
【０１０９】
ステップ１６ｂ〜ステップ１６ｄにおいて、移動局１０ｂ〜移動局１０ｄは、ＳＭＳ（登録要求）に含まれる移動局識別情報及びグループＩＤを着信履歴として記憶する。
【０１１０】
ステップ１７ｂ〜ステップ１７ｄにおいて、移動局１０ｂ〜移動局１０ｄは、パケット交換ＮＷ４００に接続されたＳＩＰサーバ２００にログインする。具体的には、移動局１０ｂ〜移動局１０ｄは、移動局１０ｂ〜移動局１０ｄのアドレスをＳＩＰサーバ２００に登録する登録処理を行う。
【０１１１】
ステップ１８ｂ〜ステップ１８ｄにおいて、ＳＩＰサーバ２００は、移動局１０ａから受信したＩＮＶＩＴＥ（新規）に応じて、移動局１０ｂ〜移動局１０ｄを呼び出すために、ＩＮＶＩＴＥ（新規）をパケット交換ＮＷ４００を通じて移動局１０ｂ〜移動局１０ｄに送信する。
【０１１２】
ステップ１９ｂ〜ステップ１９ｄにおいて、移動局１０ｂ〜移動局１０ｄは、ＩＮＶＩＴＥ（新規）を着信したことを示す暫定応答（１００Ｔｒｙｉｎｇ）をＳＩＰサーバ２００に送信する。
【０１１３】
続いて、図９に示すように、ステップ２０ｂ〜ステップ２０ｄにおいて、移動局１０ｂ〜移動局１０ｄは、ＩＮＶＩＴＥ（新規）に応じて、着信処理を進めていることを示す暫定応答（１８０ｒｉｎｇｉｎｇ）をＳＩＰサーバ２００に送信する。
【０１１４】
ステップ２１ｂ〜ステップ２１ｃにおいて、移動局１０ｂ〜移動局１０ｃは、ＩＮＶＩＴＥ（新規）に応答する。具体的には、移動局１０ｂ〜移動局１０ｃのユーザは、移動局１０ａからの呼び出しに気づいて、応答キーなどを押下する応答処理を行う。一方、ステップ２１ｄにおいて、移動局１０ｄは、ＩＮＶＩＴＥ（新規）に応答しない。具体的には、移動局１０ｄのユーザは、移動局１０ａからの呼び出しに応じて、応答キーなどを押下する応答処理を行わない。
【０１１５】
ステップ２２において、ＳＩＰサーバ２００は、移動局１０ｂ〜移動局１０ｄを呼び出していることを示す暫定応答（１８０ｒｉｎｇｉｎｇ）を移動局１０ａに送信する。
【０１１６】
ステップ２３ｂ〜ステップ２３ｃにおいて、移動局１０ｂ〜移動局１０ｃは、ＩＮＶＩＴＥ（新規）に応答したことを示す応答成功（２００ＯＫ）をＳＩＰサーバ２００に送信する。
【０１１７】
ステップ２４において、ＳＩＰサーバ２００は、移動局１０ｂ〜移動局１０ｄのうち、いずれかの移動局１０がＩＮＶＩＴＥ（新規）に応答したことを示す応答成功（２００ＯＫ）を移動局１０ａに送信する。
【０１１８】
ステップ２５において、移動局１０ｄは、ＳＩＰサーバ２００へのアドレス登録を解除するアドレス解除処理を行う。
【０１１９】
ステップ２６ａにおいて、移動局１０ａは、新たなグループ通話を開始することが可能であることを確認するためのＡＣＫをＳＩＰサーバ２００に送信する。同様に、ステップ２６ｂ〜ステップ２６ｃにおいて、ＳＩＰサーバ２００は、新たなグループ通話を開始することが可能であることを確認するためのＡＣＫを移動局１０ｂ〜移動局１０ｃに送信する。
【０１２０】
ステップ２７ａ〜ステップ２７ｃにおいて、ＳＩＰサーバ２００は、新たなグループ通話に参加した移動局１０をそれぞれ識別する移動局識別情報（例えば、電話番号やＳＩＰアドレス）を含むＩＮＦＯ（参加者通知）を移動局１０ａ〜移動局１０ｃに送信する。
【０１２１】
ステップ２８ａ〜ステップ２８ｃにおいて、移動局１０ａ〜移動局１０ｃは、ＩＮＦＯ（参加者通知）を受信したことを示す応答成功（２００ＯＫ）をＳＩＰサーバ２００に送信する。
【０１２２】
ステップ２９において、移動局１０ａ〜移動局１０ｃは、移動局１０ａ〜移動局１０ｃを参加メンバーとするグループ通話（ＭＳ１０ａ、ＭＳ１０ｂ、ＭＳ１０ｃ）を開始する。
【０１２３】
次に、移動局１０ａ〜移動局１０ｃを参加メンバーとするグループ通話から移動局１０ｂが外れる場合の動作について、図１０を参照しながら説明する。なお、図１０は、図９に示したステップ２９に続く処理を示す図である。
【０１２４】
図１０に示すように、ステップ２９において、移動局１０ａ〜移動局１０ｃを参加メンバーとするグループ通話（ＭＳ１０ａ、ＭＳ１０ｂ、ＭＳ１０ｃ）が継続している。
【０１２５】
ステップ３０において、移動局１０ｂは、グループ通話から外れることを要求する離脱要求（ＢＹＥ）をＳＩＰサーバ２００に送信する。
【０１２６】
ステップ３１において、ＳＩＰサーバ２００は、離脱要求（ＢＹＥ）を受信したことを示す成功応答（２００ＯＫ）を移動局１０ｂに送信する。
【０１２７】
ステップ３２において、移動局１０ｂは、ＳＩＰサーバ２００へのアドレス登録を解除するアドレス解除処理を行う。
【０１２８】
ステップ３３において、移動局１０ｂは、グループ通話で用いられるアプリケーションなどを終了して、グループ通話を終了する。
【０１２９】
ステップ３４ａ及びステップ３４ｃにおいて、ＳＩＰサーバ２００は、グループ通話に参加する移動局１０が更新されたことを示すＩＮＦＯ（参加者更新通知）を移動局１０ａ及び移動局１０ｃに送信する。なお、ＩＮＦＯ（参加者更新通知）は、移動局１０ｂがグループ通話から外れたことを示す情報などである。
【０１３０】
ステップ３５ａ及びステップ３５ｃにおいて、移動局１０ａ及び移動局１０ｃは、ＩＮＦＯ（参加者更新通知）を受信したことを示す応答成功（２００ＯＫ）をＳＩＰサーバ２００に送信する。
【０１３１】
ステップ３６において、移動局１０ａ及び移動局１０ｃは、移動局１０ａ及び移動局１０ｃを参加メンバーとするグループ通話（ＭＳ１０ａ、ＭＳ１０ｃ）を継続する。
【０１３２】
次に、移動局１０ａ及び移動局１０ｃを参加メンバーとするグループ通話に移動局１０ｅが移動局１０ａから誘われて途中参加する場合の動作について、図１１を参照しながら説明する。なお、図１１は、図１０に示したステップ３６に続く処理を示す図である。
【０１３３】
図１１に示すように、ステップ３６において、移動局１０ａ及び移動局１０ｃを参加メンバーとするグループ通話（ＭＳ１０ａ、ＭＳ１０ｃ）が継続している。
【０１３４】
ステップ３７において、移動局１０ａは、移動局１０ｅをグループ通話に誘うＳＩＰ情報（ＩＮＦＯ（お誘い））をパケット交換ＮＷ４００を通じてＳＩＰサーバ２００に送信する。ここで、ＩＮＦＯ（お誘い）は、移動局１０ｅを識別する移動局識別情報（例えば、電話番号）を含む。
【０１３５】
ステップ３７ａにおいて、ＳＩＰサーバ２００は、移動局１０ｅをグループ通話に誘うＳＩＰ情報（ＩＮＦＯ（お誘い））を受信したことを示す受信成功（２００ＯＫ）を移動局１０ａに送信する。
【０１３６】
ステップ３８において、ＳＩＰサーバ２００は、ＳＩＰサーバ２００へのアドレス登録を要求するアドレス登録要求（ＳＭＳ（登録要求））の送信を要求するＳＭＳ送信要求をＳＭＳサーバ１００に送信する。ここで、ＳＭＳ送信要求は、移動局１０ａ、移動局１０ｃ及び移動局１０ｅをそれぞれ識別する移動局識別情報に加えて、ステップ１３で生成されたグループＩＤを含む。なお、ＳＭＳ送信要求は、初期指定移動局リストに含まれる移動局１０（移動局１０ａ〜移動局１０ｄ）をそれぞれ識別する移動局識別情報を含んでいてもよい。
【０１３７】
ステップ３９において、ＳＭＳサーバ１００は、ＳＩＰサーバ２００へのアドレス登録を要求するアドレス登録要求（ＳＭＳ（登録要求））を回線交換ＮＷ３００を通じて移動局１０ｅに送信する。ここで、ＳＭＳ（登録要求）は、移動局１０ａ、移動局１０ｃ及び移動局１０ｅをそれぞれ識別する移動局識別情報及びステップ１３で生成されたグループＩＤを含む。なお、ＳＭＳ（登録要求）は、初期指定移動局リストに含まれる移動局１０（移動局１０ａ〜移動局１０ｄ）をそれぞれ識別する移動局識別情報を含んでいてもよい。
【０１３８】
ステップ４０において、移動局１０ｅは、ＳＭＳ（登録要求）に含まれる移動局識別情報及びグループＩＤを着信履歴として記憶する。
【０１３９】
ステップ４１において、移動局１０ｅは、パケット交換ＮＷ４００に接続されたＳＩＰサーバ２００にログインする。具体的には、移動局１０ｅは、移動局１０ｅのアドレスをＳＩＰサーバ２００に登録する登録処理を行う。
【０１４０】
ステップ４２において、ＳＩＰサーバ２００は、移動局１０ａから受信したＳＩＰ情報（ＩＮＦＯ（お誘い））に応じて、移動局１０ｅを呼び出すために、ＩＮＦＯ（お誘い）を移動局１０ｅに送信する。
【０１４１】
ステップ４３において、移動局１０ｅは、ＩＮＦＯ（お誘い）を着信したことを示す暫定応答（１００Ｔｒｙｉｎｇ）をＳＩＰサーバ２００に送信する。
【０１４２】
ステップ４４において、移動局１０ｅは、ＩＮＦＯ（お誘い）に応じて、着信処理を進めていることを示す暫定応答（１８０Ｒｉｎｇｉｎｇ）をＳＩＰサーバ２００に送信する。
【０１４３】
ステップ４５において、移動局１０ｅは、ＩＮＦＯ（お誘い）に応答する。具体的には、移動局１０ｅのユーザは、移動局１０ａからの呼び出しに気づいて、応答キーなどを押下する応答処理を行う。
【０１４４】
ステップ４６において、移動局１０ｅは、ＩＮＦＯ（お誘い）に応答したことを示す応答成功（２００ＯＫ）をＳＩＰサーバ２００に送信する。
【０１４５】
ステップ４８ａ及びステップ４８ｃにおいて、ＳＩＰサーバ２００は、グループ通話に参加する移動局１０が更新されたことを示すＩＮＦＯ（参加者更新通知）を移動局１０ａ及び移動局１０ｃに送信する。なお、ＩＮＦＯ（参加者更新通知）は、移動局１０ｅがグループ通話に途中参加したことを示す情報（移動局１０ｅを識別する移動局識別情報（電話番号やＳＩＰアドレス））などである。
【０１４６】
ステップ４９ａ及びステップ４９ｃにおいて、移動局１０ａ及び移動局１０ｃは、ＩＮＦＯ（参加者更新通知）を受信したことを示す応答成功（２００ＯＫ）をＳＩＰサーバ２００に送信する。
【０１４７】
ステップ５０ｅにおいて、ＳＩＰサーバ２００は、グループ通話に参加した移動局１０をそれぞれ識別する移動局識別情報（例えば、電話番号やＳＩＰアドレス）を含むＩＮＦＯ（参加者通知）を移動局１０ｅに送信する。
【０１４８】
ステップ５１ｅにおいて、移動局１０ｅは、ＩＮＦＯ（参加者通知）を受信したことを示す応答成功（２００ＯＫ）をＳＩＰサーバ２００に送信する。
【０１４９】
ステップ５２において、移動局１０ａ、移動局１０ｃ及び移動局１０ｅは、移動局１０ａ、移動局１０ｃ及び移動局１０ｅを参加メンバーとするグループ通話（ＭＳ１０ａ、ＭＳ１０ｃ、ＭＳ１０ｅ）を開始する。
【０１５０】
次に、移動局１０ａ〜移動局１０ｃを参加メンバーとするグループ通話（ＭＳ１０ａ、ＭＳ１０ｂ、ＭＳ１０ｃ）に、初期指定移動局リストに含まれる移動局１０ｄが途中参加することが可能である場合の動作について、図１２を参照しながら説明する。なお、図１２は、図９に示したステップ２９に続く処理を示す図である。
【０１５１】
図１２に示すように、ステップ２９において、移動局１０ａ〜移動局１０ｃを参加メンバーとするグループ通話が継続している。
【０１５２】
ステップ６０において、移動局１０ｄは、グループ通話に途中参加するために、途中参加処理を行う。具体的には、移動局１０ｄのユーザは、メモリ１９に記憶された着信履歴の中から所望のグループ通話を選択して、発呼キーなどを押下する処理を行う。
【０１５３】
ステップ６１において、移動局１０ｄは、パケット交換ＮＷ４００に接続されたＳＩＰサーバ２００にログインする。具体的には、移動局１０ｄは、移動局１０ｄのアドレスをＳＩＰサーバ２００に登録する処理（登録処理）を行う。
【０１５４】
ステップ６２において、移動局１０ｄは、ステップ６０で選択された所望のグループ通話に参加することを要求するＩＮＶＩＴＥ（途中参加）をパケット交換ＮＷ４００を通じてＳＩＰサーバ２００に送信する。ここで、ＩＮＶＩＴＥ（途中参加）は、所望のグループ通話に対応するグループＩＤを含む。なお、グループＩＤは、上述したように、メモリ１９に着信履歴として記憶されている。
【０１５５】
ステップ６３において、ＳＩＰサーバ２００は、ＩＮＶＩＴＥ（途中参加）に含まれるグループＩＤに対応するグループ通話への途中参加が可能か否かを判定する。具体的には、ＳＩＰサーバ２００は、グループＩＤに対応するグループ通話が継続している場合には、移動局１０ｄの途中参加が可能であると判定する。一方、ＳＩＰサーバ２００は、グループＩＤに対応するグループ通話が終了している場合には、移動局１０ｄの途中参加が不可能であると判定する。なお、図１２では、移動局１０ａ〜移動局１０ｃを参加メンバーとするグループ通話が継続しているため、移動局１０ｄの途中参加が可能であると判定する。
【０１５６】
ステップ６４において、ＳＩＰサーバ２００は、ＩＮＶＩＴＥ（途中参加）に応じて、移動局１０ｄの途中参加処理を開始したことを示す暫定応答（１００Ｔｒｙｉｎｇ）を移動局１０ｄに送信する。
【０１５７】
ステップ６５において、ＳＩＰサーバ２００は、移動局１０ａを呼び出していることを示す暫定応答（１８０Ｒｉｎｇｉｎｇ）を移動局１０ｄに送信する。
【０１５８】
ステップ６６において、ＳＩＰサーバ２００は、グループ通話に参加する移動局１０が更新されたことを示すＩＮＦＯ（参加者更新通知）を移動局１０ａに送信する。なお、ＩＮＦＯ（参加者更新通知）は、移動局１０ｄがグループ通話に途中参加したことを示す情報（移動局１０ｄを識別する移動局識別情報）などである。
【０１５９】
ステップ６７において、移動局１０ａは、ＩＮＦＯ（参加者更新通知）を受信したことを示す応答成功（２００ＯＫ）をＳＩＰサーバ２００に送信する。
【０１６０】
ステップ６８において、ＳＩＰサーバ２００は、移動局１０ｄの途中参加が認められたことを示す応答成功（２００ＯＫ）を移動局１０ｄに送信する。
【０１６１】
ステップ６９ｂ〜ステップ６９ｃにおいて、ＳＩＰサーバ２００は、グループ通話に参加する移動局１０が更新されたことを示すＩＮＦＯ（参加者更新通知）を移動局１０ｂ及び移動局１０ｃに送信する。また、ステップ６９ｄにおいて、ＳＩＰサーバ２００は、グループ通話に参加する移動局１０をそれぞれ識別する移動局識別情報（例えば、電話番号やＳＩＰアドレス）を含むＩＮＦＯ（参加者通知）を移動局１０ｄに送信する。
【０１６２】
ステップ７０ｂ〜ステップ７０ｃにおいて、移動局１０ｂ及び移動局１０ｃは、ＩＮＦＯ（参加者更新通知）を受信したことを示す応答成功（２００ＯＫ）をＳＩＰサーバ２００に送信する。また、ステップ７０ｄにおいて、移動局１０ｄは、ＩＮＦＯ（参加者通知）を受信したことを示す応答成功（２００ＯＫ）をＳＩＰサーバ２００に送信する。
【０１６３】
ステップ７１において、移動局１０ａ〜移動局１０ｄは、移動局１０ａ〜移動局１０ｄを参加メンバーとするグループ通話を開始する。
【０１６４】
最後に、移動局１０ａ〜移動局１０ｃを参加メンバーとするグループ通話（ＭＳ１０ａ、ＭＳ１０ｂ、ＭＳ１０ｃ）に、初期指定移動局リストに含まれる移動局１０ｄが途中参加することが不可能である場合の動作について、図１３を参照しながら説明する。なお、図１３は、図９に示したステップ２９に続く処理を示す図である。
【０１６５】
図１３に示すように、ステップ２９ａにおいて、移動局１０ａ〜移動局１０ｃを参加メンバーとするグループ通話（ＭＳ１０ａ、ＭＳ１０ｂ、ＭＳ１０ｃ）が終了する。
【０１６６】
ステップ８０において、移動局１０ｄは、ステップ６０と同様に、グループ通話に途中参加するために、途中参加処理を行う。具体的には、移動局１０ｄのユーザは、メモリ１９に記憶された着信履歴の中から所望のグループ通話を選択して、発呼キーなどを押下する処理を行う。
【０１６７】
ステップ８１において、移動局１０ｄは、ステップ６１と同様に、パケット交換ＮＷ４００に接続されたＳＩＰサーバ２００にログインする。具体的には、移動局１０ｄは、移動局１０ｄのアドレスをＳＩＰサーバ２００に登録する処理（登録処理）を行う。
【０１６８】
ステップ８２において、移動局１０ｄは、ステップ６２と同様に、ステップ８０で選択された所望のグループ通話に参加することを要求するＩＮＶＩＴＥ（途中参加）をパケット交換ＮＷ４００を通じてＳＩＰサーバ２００に送信する。ここで、ＩＮＶＩＴＥ（途中参加）は、所望のグループ通話に対応するグループＩＤを含む。なお、グループＩＤは、上述したように、メモリ１９に着信履歴として記憶されている。
【０１６９】
ステップ８３において、ＳＩＰサーバ２００は、ステップ６３と同様に、ＩＮＶＩＴＥ（途中参加）に含まれるグループＩＤに対応するグループ通話への途中参加が可能か否かを判定する。具体的には、ＳＩＰサーバ２００は、グループＩＤに対応するグループ通話が継続している場合には、移動局１０ｄの途中参加が可能であると判定する。一方、ＳＩＰサーバ２００は、グループＩＤに対応するグループ通話が終了している場合には、移動局１０ｄの途中参加が不可能であると判定する。なお、図１３では、移動局１０ａ〜移動局１０ｃを参加メンバーとするグループ通話が終了しているため、移動局１０ｄの途中参加が不可能であると判定する。
【０１７０】
ステップ８４において、ＳＩＰサーバ２００は、移動局１０ｄの途中参加が不可能であったことを示す応答失敗（ＢＹＥ）を移動局１０ｄに送信する。
【０１７１】
ステップ８５において、移動局１０ｄは、ステップ８０で選択された所望のグループ通話に対応するグループＩＤの使用を禁止する途中参加禁止処理を行う。具体的には、移動局１０ｄは、グループＩＤに対応付けられた禁止フラグを“１（ｉｎｖａｌｉｄ）”に更新する。
【０１７２】
ステップ８６において、移動局１０ｄは、移動局１０ｄの途中参加が不可能であったことを示す情報を表示する。具体的には、移動局１０ｄは、「グループ通話が終了しているため、新たなグループ通話を開始しますか？」などといった情報を表示する。
【０１７３】
このように、移動局１０ｄは、使用が禁止されたグループＩＤに対応するグループ通話を行っていた移動局１０を指定して新たなグループ通話を開始するか否かを移動局１０ｄのユーザに選択させるための表示を行うことも可能である。なお、図１３では、移動局１０ｄのユーザが新たなグループ通話を開始することを選択した場合についてさらに説明する。
【０１７４】
ステップ８７において、移動局１０ｄは、ステップ８０で選択された所望のグループ通話を行っていた移動局１０を移動局として、新たなグループ通話を開始する。具体的には、移動局１０ｄのユーザは、発信側移動局として指定した移動局１０を指定して、発呼キーなどを押下する処理を行う。
【０１７５】
なお、新たなグループ通話に対応する移動局は、ステップ８０で選択された所望のグループ通話に対応する移動局（移動局１０ａ〜移動局１０ｄ）と同じであってもよく、ステップ８０で選択された所望のグループ通話に対応する移動局の中から指定された移動局１０によって構成されるグループ（例えば、移動局１０ａ、移動局１０ｂ及び移動局１０ｄ）であってもよい。また、新たなグループ通話に対応する移動局は、所望のグループ通話に途中参加した移動局１０（例えば、図１１に示した移動局１０ｅ）を含んでいてもよい。
【０１７６】
ステップ８８において、移動局１０ｄは、新たなグループ通話を開始するために、ＩＮＶＩＴＥ（新規）をパケット交換ＮＷ４００を通じてＳＩＰサーバ２００に送信する。ここで、ＩＮＶＩＴＥ（新規）は、新たなグループ通話の開始を要求するＳＩＰ情報であり、移動局１０ｄを識別する移動局識別情報（例えば、電話番号）に加えて、ステップ８７で指定された移動局１０をそれぞれ識別する移動局識別情報を含む。
【０１７７】
なお、新たなグループ通話を開始する処理は、図８に示した処理と同様であるため、ステップ８８以降の処理の説明については省略する。
【０１７８】
（作用及び効果）
本発明の第１実施形態に係る移動局１０によれば、移動局１０は、グループ通話に途中参加する場合には、グループ通話を識別するグループＩＤを含むＩＮＶＩＴＥ（途中参加）をＳＩＰサーバ２００に送信する。
【０１７９】
従って、移動局１０は、同一の移動局が指定されて開始された複数のグループ通話が継続している場合であっても、グループＩＤによって所望のグループ通話を特定することができる。すなわち、移動局１０は、所望のグループ通話に参加している移動局１０から誘われることなく、自ら所望のグループ通話に容易に途中参加することができる。
【０１８０】
特に、発信側移動局からの呼び出し（ＩＮＶＩＴＥ（新規））にユーザが気づかなかった場合であっても、所望のグループ通話に容易に途中参加できるため、ユーザの利便性が向上する。
【０１８１】
また、本発明の第１実施形態に係る移動局１０によれば、移動局１０は、回線交換ＮＷ３００を通じてＳＭＳサーバ１００から受信するアドレス登録要求（ＳＭＳ（登録要求））によって、グループ通話を識別するグループＩＤを取得する。
【０１８２】
従って、パケット交換ＮＷ４００に含まれる基地局４０によって管理されるセクタ内に移動局１０が在圏していない場合であっても、回線交換ＮＷ３００に含まれる基地局３０によって管理されるセクタ内に在圏していれば、グループ通話を識別するグループＩＤを取得することができる。すなわち、パケット交換ＮＷ４００を通じてグループＩＤを取得する場合に比べて、グループＩＤを取得する可能性を向上することができる。
【０１８３】
この結果、移動局１０は、パケット交換ＮＷ４００に含まれる基地局４０によって管理されるセクタ内に在圏するようになってから、所望のグループ通話に容易に途中参加でき、ユーザの利便性が向上する。
【０１８４】
さらに、本発明の第１実施形態に係る移動局１０によれば、移動局１０は、グループＩＤを含むＩＮＶＩＴＥ（途中参加）によるグループ通話への途中参加に失敗した場合に、そのグループＩＤの使用を禁止する。
【０１８５】
従って、既に終了してしまっているグループ通話に途中参加するために、ＩＮＶＩＴＥ（途中参加）が無駄に送信されることを防ぐことができ、ネットワーク資源の有効活用を図ることができる。
【０１８６】
また、本発明の第１実施形態に係る移動局１０によれば、移動局１０は、グループＩＤの使用が禁止されている場合に、そのグループＩＤに対応するグループ通話を行っていた移動局１０を指定して新たなグループ通話を開始するか否かをユーザに選択させるための表示を行う。
【０１８７】
従って、ユーザは、所望のグループ通話が終了してしまっている場合であっても、所望のグループ通話を行っていた移動局１０を指定して、新たなグループ通話を容易に開始することができ、ユーザの利便性が向上する。
【０１８８】
［第２実施形態］
以下において、本発明の第２実施形態について、図面を参照しながら説明する。なお、以下においては、上述した第１実施形態と第２実施形態との相違点について主として説明する。
【０１８９】
具体的には、上述した第１実施形態では、移動局１０ｄは、移動局１０ａからの呼び出しに応答しなかったため、グループ通話に参加していなかった。これに対して、第２実施形態では、移動局１０ｄは、移動局１０ａからの呼び出しを着信することができなかったため、グループ通話に参加することができない。
【０１９０】
（通信システムの動作）
以下において、本発明の第２実施形態に係る通信システムの動作について、図面を参照しながら説明する。図１４は、本発明の第２実施形態に係る通信システムの動作を示すシーケンス図である。なお、図１４では、図８に示す処理と同様の処理については同一のステップ番号を付している。従って、以下においては、図８と同様の処理の説明については省略する。
【０１９１】
図１４に示すように、ステップ１７ｎにおいて、移動局１０ｄは、パケット交換ＮＷ４００に接続されたＳＩＰサーバ２００に移動局１０ｄのアドレスを登録する登録処理を行うが、登録処理に失敗する。例えば、パケット交換ＮＷ４００に含まれる基地局４０によって管理されるセクタ内に移動局１０ｄが在圏していない場合には、移動局１０ｄは、登録処理に失敗する。
【０１９２】
［第３実施形態］
以下において、本発明の第３実施形態について、図面を参照しながら説明する。なお、以下においては、上述した第１実施形態と第３実施形態との相違点について主として説明する。
【０１９３】
具体的には、上述した第１実施形態では、グループ通話で用いられるアプリケーションについては特に触れていない。これに対して、第２実施形態では、グループ通話で用いられるアプリケーションがアプリケーション１（変更前アプリケーション）からアプリケーション２（変更後アプリケーション）に変更される。
【０１９４】
（通信システムの動作）
以下において、本発明の第３実施形態に係る通信システムの動作について、図面を参照しながら説明する。図１５は、本発明の第３実施形態に係る通信システムの動作を示すシーケンス図である。なお、図１５は、図９に示したステップ２９に続く処理である。
【０１９５】
図１５に示すように、ステップ２９において、移動局１０ａ〜移動局１０ｃを参加メンバーとするグループ通話が継続している。また、グループ通話では、アプリケーション１（例えば、ＩＰ−ＴＶ）が用いられている。
【０１９６】
ここで、ＩＰ−ＴＶは、上述したように、音声信号及び映像信号を送受信可能なグループ通話アプリケーションである。
【０１９７】
ステップ１００において、移動局１０ａは、グループ通話で用いられるアプリケーションをアプリケーション１からアプリケーション２（例えば、ＰＴＴ（Ｐｕｓｈ−Ｔｏ−Ｔａｌｋ）に変更することを要求するＩＮＦＯ（アプリケーション変更要求）をＳＩＰサーバ２００に送信する。
【０１９８】
ここで、ＰＴＴは、上述したように、音声信号のみを送受信可能なグループ通話アプリケーションである。
【０１９９】
アプリケーションが変更されるケースとしては、ＩＰ−ＴＶでグループ通話を行っている場合に、電波状況の悪化によって、映像信号の受信強度が所定の閾値よりも小さくなるケースなどが想定される。このようなケースでは、映像信号よりも信号量が少ない音声信号を用いるＰＴＴにアプリケーションが変更される。
【０２００】
また、アプリケーションが変更されるケースとしては、ＰＴＴでグループ通話を行っている場合に、電波状況の改善によって、音声信号の受信強度が所定の閾値よりも大きくなるケースなども想定される。このようなケースでは、音声信号よりも信号量が多い映像信号を用いるＩＰ−ＴＶにアプリケーションが変更される。
【０２０１】
なお、グループ通話で用いられるアプリケーションは、ユーザのニーズに応じて変更されてもよいことは勿論である。
【０２０２】
ステップ１０１ｂ〜ステップ１０１ｃにおいて、ＳＩＰサーバ２００は、移動局１０ａから受信したＩＮＦＯ（アプリケーション変更要求）を移動局１０ｂ及び移動局１０ｃに送信する。
【０２０３】
ステップ１０２ｂ〜ステップ１０２ｃにおいて、移動局１０ｂ及び移動局１０ｃは、ＩＮＦＯ（アプリケーション変更要求）を受信したことを示す応答成功（２００ＯＫ）をＳＩＰサーバ２００に送信する。
【０２０４】
ステップ１０３において、ＳＩＰサーバ２００は、移動局１０ｂ及び移動局１０ｃがＩＮＦＯ（アプリケーション変更要求）を受信したことを示す応答成功（２００ＯＫ）を移動局１０ａに送信する。
【０２０５】
ステップ１０４において、移動局１０ａは、アプリケーション１の終了を要求する終了要求（ＢＹＥ）をＳＩＰサーバ２００に送信する。
【０２０６】
ステップ１０５ｂ〜ステップ１０５ｃにおいて、ＳＩＰサーバ２００は、アプリケーション１の終了を要求する終了要求（ＢＹＥ）を移動局１０ｂ及び移動局１０ｃに送信する。
【０２０７】
ステップ１０６ｂ〜ステップ１０６ｃにおいて、移動局１０ｂ及び移動局１０ｃは、終了要求（ＢＹＥ）を受信したことを示す応答成功（２００ＯＫ）をＳＩＰサーバ２００に送信する。
【０２０８】
ステップ１０７において、ＳＩＰサーバ２００は、移動局１０ｂ及び移動局１０ｃがアプリケーション１を終了したことを示す応答成功（２００ＯＫ）を移動局１０ａに送信する。
【０２０９】
ステップ１０８において、ＳＩＰサーバ２００は、グループ通話で用いられるアプリケーションがアプリケーション１からアプリケーション２に変更されたことを通知するＳＭＳ情報（ＳＭＳ（アプリケーション変更通知））の送信を要求するＳＭＳ送信要求をＳＭＳサーバ１００に送信する。
【０２１０】
ステップ１０９において、ＳＭＳサーバ１００は、グループ通話で用いられるアプリケーションがアプリケーション１からアプリケーション２に変更されたことを通知するＳＭＳ（アプリケーション変更通知）を回線交換ＮＷ３００を通じて移動局１０ｄに送信する。ここで、ＳＭＳ（アプリケーション変更通知）は、アプリケーション２を特定するアプリケーション情報を含むＳＭＳ情報である。
【０２１１】
ステップ１１０において、移動局１０ｄは、メモリ１９に記憶された着信履歴を更新する。具体的には、移動局１０ｄは、着信履歴として記憶しているグループ通話で用いられるアプリケーションをアプリケーション１からアプリケーション２に更新する。
【０２１２】
ステップ１１１において、移動局１０ａ〜移動局１０ｃは、アプリケーション２のセットアップ処理を行う。
【０２１３】
ステップ１１２において、移動局１０ａ〜移動局１０ｃは、アプリケーション２を用いてグループ通話（ＭＳ１０ａ、ＭＳ１０ｂ、ＭＳ１０ｃ）を開始する。グループ通話の参加メンバーは、ステップ２９と同様に移動局１０ａ〜移動局１０ｃである。
【０２１４】
なお、移動局１０ｄは、グループ通話に途中参加する場合に、メモリ１９に記憶された着信履歴を参照して、グループ通話で用いられるアプリケーションを選択する。また、移動局１０ｄがグループ通話に途中参加する処理は、上述した図１２及び図１３と同様であるため、この処理の説明については省略する。
【０２１５】
（作用及び効果）
本発明の第３実施形態に係る移動局１０によれば、移動局１０は、自移動局が参加していないグループ通話で用いられるアプリケーションが変更されたことを示すＳＭＳ情報（ＳＭＳ（アプリケーション変更通知））を回線交換ＮＷ３００を通じて受信し、受信したＳＭＳ（アプリケーション変更通知）に基づいて着信履歴を更新する。
【０２１６】
従って、移動局１０は、ＩＮＶＩＴＥ（途中参加）をＳＩＰサーバ２００に送信する際に、適切なアプリケーションでグループ通話への途中参加を要求することができる。すなわち、グループ通話で用いられているアプリケーションと異なるアプリケーションでグループ通話に途中参加しようとして、グループ通話への途中参加が拒否されることを防止することができる。
【０２１７】
［第４実施形態］
以下において、本発明の第４実施形態について、図面を参照しながら説明する。なお、以下においては、上述した第１実施形態と第４実施形態との相違点について主として説明する。
【０２１８】
具体的には、上述した第１実施形態では、移動局１０ｄの途中参加が移動局１０ａ（発信側移動局）によって特に禁止されていない。これに対して、第４実施形態では、移動局１０ｄの途中参加が移動局１０ａ（発信側移動局）によって禁止される。
【０２１９】
（通信システムの動作）
以下において、本発明の第４実施形態に係る通信システムの動作について、図面を参照しながら説明する。図１６は、本発明の第４実施形態に係る通信システムの動作を示すシーケンス図である。なお、図１６は、図９に示したステップ２９に続く処理である。
【０２２０】
図１６に示すように、ステップ２９において、移動局１０ａ〜移動局１０ｃを参加メンバーとするグループ通話が継続している。
【０２２１】
ステップ１２０において、移動局１０ａは、移動局１０ｄの途中参加を禁止することを示すＩＮＦＯ（参加禁止通知）をＳＩＰサーバ２００に送信する。
【０２２２】
ステップ１２１において、ＳＩＰサーバ２００は、ＩＮＦＯ（参加禁止通知）を受信したことを示す応答成功（２００ＯＫ）を移動局１０ａに送信する。
【０２２３】
ステップ１２２ｂ〜ステップ１２２ｃにおいて、ＳＩＰサーバ２００は、移動局１０ｄの途中参加を禁止することを示すＩＮＦＯ（参加禁止通知）を移動局１０ｂ及び移動局１０ｃに送信する。
【０２２４】
ステップ１２３ｂ〜ステップ１２３ｃにおいて、移動局１０ｂ及び移動局１０ｃは、ＩＮＦＯ（参加禁止通知）を受信したことを示す応答成功（２００ＯＫ）をＳＩＰサーバ２００に送信する。
【０２２５】
ステップ１２４において、ＳＩＰサーバ２００は、グループ通話への途中参加が禁止されたことを示すＳＭＳ情報（ＳＭＳ（参加禁止通知））の送信を要求するＳＭＳ送信要求をＳＭＳサーバ１００に送信する。
【０２２６】
ステップ１２５において、ＳＭＳサーバ１００は、グループ通話への途中参加が禁止されたことを示すＳＭＳ（参加禁止通知）を回線交換ＮＷ３００を通じて移動局１０ｄに送信する。
【０２２７】
ステップ１２６において、移動局１０ｄは、グループ通話に途中参加するために、途中参加処理を行う。具体的には、移動局１０ｄのユーザは、メモリ１９に記憶された着信履歴の中から所望のグループ通話を選択して、発呼キーなどを押下する処理を行う。
【０２２８】
ステップ１２７において、移動局１０ｄは、所望のグループ通話への途中参加が禁止されていることを示す情報を表示する。例えば、移動局１０ｄは、「グループ通話への途中参加が禁止されています」などといった情報を表示する。
【０２２９】
ステップ１２８において、移動局１０ｄは、ステップ１２６で選択された所望のグループ通話に対応するグループＩＤの使用を禁止する途中参加禁止処理を行う。具体的には、移動局１０ｄは、グループＩＤに対応付けられた禁止フラグを“１（ｉｎｖａｌｉｄ）”に更新する。
【０２３０】
（作用及び効果）
本発明の第４実施形態に係る移動局１０によれば、移動局１０は、グループ通話への途中参加が禁止されたことを示すＳＭＳ情報（ＳＭＳ（参加禁止通知））を回線交換ＮＷ３００を通じて受信する。すなわち、移動局１０は、ＩＮＶＩＴＥ（途中参加）を受信する前に、ＳＭＳ情報（ＳＭＳ（参加禁止通知））を受信する。
【０２３１】
従って、他の移動局１０によって参加が禁止されたグループ通話に途中参加するために、ＩＮＶＩＴＥ（途中参加）が無駄に送信されることを防ぐことができ、ネットワーク資源の有効活用を図ることができる。
【０２３２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０２３３】
例えば、上述した第１実施形態では、ＳＭＳサーバ１００とＳＩＰサーバ２００とが別々なサーバであるものとして説明したが、これに限定されるものではない。具体的には、回線交換ＮＷ３００及びパケット交換ＮＷ４００の両方に接続された一のネットワークサーバが、ＳＭＳサーバ１００の機能及びＳＩＰサーバ２００の機能を併せ持っていてもよい。
【０２３４】
また、上述した第１実施形態では、通信システムに設けられたサーバは、ＳＭＳサーバ１００及びＳＩＰサーバ２００であるが、これに限定されるものではない。具体的には、通信システムは、ＳＭＳサーバ１００及びＳＩＰサーバ２００に加えて、グループ通話を管理するグループ通話管理サーバを有していてもよい。この場合には、ＳＩＰサーバ２００に設けられたグループ通話管理ＤＢ２０３は、グループ通話管理サーバに設けられていてもよい。
【０２３５】
さらに、上述した第１実施形態では、グループＩＤは、ＳＩＰサーバ２００へのアドレス登録を要求するアドレス登録要求（ＳＭＳ（登録要求））によって移動局１０に通知されるが、これに限定されるものではない。
【０２３６】
具体的には、グループＩＤは、グループ通話が開始された後に回線交換ＮＷ３００を通じて送信されるＳＭＳ情報によって移動局１０に通知されてもよい。また、グループＩＤは、パケット交換ＮＷ４００を通じて送信されるＳＩＰ情報（例えば、ＩＮＶＩＴＥ）によって移動局１０に通知されてもよい。
【０２３７】
さらに、上述した第４実施形態では、グループ通話の開始を要求した移動局１０ａ（発信側移動局）が、グループ通話への途中参加を禁止することを示すＳＩＰ情報（ＩＮＦＯ（参加禁止通知））を送信するが、これに限定されるものではない。具体的には、グループ通話に参加する他の移動局１０がＳＩＰ情報（ＩＮＦＯ（参加禁止通知））を送信してもよい。
【図面の簡単な説明】
【０２３８】
【図１】本発明の第１実施形態に係る通信システムの構成を示す図である。
【図２】本発明の第１実施形態に係る移動局１０の構成を示すブロック図である。
【図３】本発明の第１実施形態に係るＣＰＵ２０の構成を示すブロック図である。
【図４】本発明の第１実施形態に係るメモリ１９に記憶された着信履歴の一例を示す図である。
【図５】本発明の第１実施形態に係るＳＩＰサーバ２００の構成を示すブロック図である。
【図６】本発明の第１実施形態に係るグループ通話管理ＤＢ２０３に記憶された管理情報の一例を示す図である。
【図７】本発明の第１実施形態に係るＳＭＳサーバ１００の構成を示すブロック図である。
【図８】本発明の第１実施形態に係る通信システムの動作を示すシーケンス図である（その１）。
【図９】本発明の第１実施形態に係る通信システムの動作を示すシーケンス図である（その２）。
【図１０】本発明の第１実施形態に係る通信システムの動作を示すシーケンス図である（その３）。
【図１１】本発明の第１実施形態に係る通信システムの動作を示すシーケンス図である（その４）。
【図１２】本発明の第１実施形態に係る通信システムの動作を示すシーケンス図である（その５）。
【図１３】本発明の第１実施形態に係る通信システムの動作を示すシーケンス図である（その６）。
【図１４】本発明の第２実施形態に係る通信システムの動作を示すシーケンス図である。
【図１５】本発明の第３実施形態に係る通信システムの動作を示すシーケンス図である。
【図１６】本発明の第４実施形態に係る通信システムの動作を示すシーケンス図である。
【符号の説明】
【０２３９】
１０・・・移動局、１１・・・アンテナ、１２・・・ＲＦ／ＩＦ変換器、１３・・・パワーアンプ、１４・・・音声入出力部、１４ａ・・・マイク、１４ｂ・・・スピーカ、１５・・・映像入出力部、１５ａ・・・カメラ、１５ｂ・・・表示部、１６・・・コーデック回路、１６ａ・・・音声コーデック回路、１６ｂ・・・映像コーデック回路、１７・・・ベースバンドプロセッサ、１８・・・操作部、１９・・・メモリ、２０・・・ＣＰＵ、２１・・・ＳＭＳ情報取得部、２２・・・ＳＩＰ情報取得部、２３・・・着信履歴格納部、２４・・・グループ通話処理部、２５・・・メッセージ生成部、２５ａ・・・新規処理部、２５ｂ・・・途中参加処理部、２６・・・ＳＩＰ情報入力部、３０・・・基地局、４０・・・基地局、１００・・・ＳＭＳサーバ、１０１・・・ＳＭＳ送信要求受信部、１０２・・・ＳＭＳ情報生成部、１０３・・・ＳＭＳ情報送受信部、２００・・・ＳＩＰサーバ、２０１・・・ＳＩＰ情報受信部、２０２・・・グループ通話処理部、２０３・・・グループ通話管理ＤＢ、２０４・・・ＳＭＳ送信要求部、２０５・・・判定部、２０６・・・ＳＩＰ情報送信部、３００・・・回線交換ＮＷ、４００・・・パケット交換ＮＷ
【図１】
0004704270.tif 000002
【図２】
0004704270.tif 000003
【図３】
0004704270.tif 000004
【図４】
0004704270.tif 000005
【図５】
0004704270.tif 000006
【図６】
0004704270.tif 000007
【図７】
0004704270.tif 000008
【図８】
0004704270.tif 000009
【図９】
0004704270.tif 000010
【図１０】
0004704270.tif 000011
【図１１】
0004704270.tif 000012
【図１２】
0004704270.tif 000013
【図１３】
0004704270.tif 000014
【図１４】
0004704270.tif 000015
【図１５】
0004704270.tif 000016
【図１６】
0004704270.tif 000017